(57)【特許請求の範囲】
【請求項１】
装着部を持つ本体；及び
前記装着部に結合され、光線ランプ及び制御部を持つ第１基板が結合された第１胴体と、前記第１胴体の前方に結合される第１キャップ部材とからなる光線カートリッジ；を含んでなり、
前記光線ランプには前面縁部に沿って外部に露出しないようにして皮膚感知センサーを備え、
前記皮膚感知センサーは、一部が断絶され両接地部が前記第１基板に連結された導電板からなり、前記導電板の全部位にわたって皮膚から一定間隔が維持され、前記両接地部を通じて静電容量の変化を一定時間以上感知する場合にだけ、前記制御部は光線を照射させるように制御することを特徴とする除毛器。
【請求項２】
前記導電板は、第１キャップ部材の光線出力ホールの内側壁によって覆われるように備えられ、前記内側壁は、前記導電板が皮膚接触感知を認識する最大の高さを持つように形成されることを特徴とする請求項１に記載の除毛器。
【請求項３】
前記導電板は後方に突出した係止突起を含み、前記光線ランプは、前記係止突起が係合される係合孔と、前記両接地部が係合される係合突起とを含んでなることを特徴とする請求項１又は請求項２に記載の除毛器。
【請求項４】
前記第１基板には第１基板の温度上昇を感知する温度感知センサーを備えることを特徴とする請求項１ないし請求項３のいずれか１項に記載の除毛器。
【発明の詳細な説明】
【技術分野】
【０００１】
本発明は作動安全性が向上した除毛器に係る。より詳しくは光線を用いて皮膚美容に使われる光線照射器、特に除毛器において、携帯性を向上させて使用が便利であり、除毛器が皮膚に全く密着する場合にだけ除毛用光線を照射させることで、除毛器の使用の際、サングラスなどの保護装置を不要にし、誤作動を防止するように作動安全性が向上した除毛器に関するものである。
【背景技術】
【０００２】
通常、除毛器とは人体の皮膚で育った体毛、髪の毛などを除去するための装置を言う。伝統的な除毛器として剃刀の刃で体毛を剃るカミソリ、体毛を強制的に抜いて毛根を除去する脱穀機式の強制除毛器などがある。
【０００３】
しかし、前記のような伝統的な除毛器は体毛を物理的な方法で強制的に除去するものであり、カミソリは毛根を除去することができなくて継続して除毛を行わなければならないため、完全な除毛を行うのに限界があり、強制除毛器は除毛過程中に使用者の痛症を引き起こすため使用が不便であり、毛嚢の大きさが増加するなどの皮膚損傷を引き起こす問題点がある。
【０００４】
前記のような問題点を解決するための除毛器に関する従来技術として、大韓民国特許登録第１０−０９１５３７１号明細書（２００９．０８．２７）（以下、特許文献１という）に開示された「熱伝逹式除毛器」がある。前記特許文献１は、熱線を用いて除毛部の櫛の歯の間に通過する体毛を除去する除毛器に関するものである。
【０００５】
しかし、前記特許文献１の除毛器は、熱線が皮膚に直接接触することによって、高熱による皮膚損傷を引き起こすだけでなく、熱によって体毛を焼いて除去する方式のもので、毛根の完全な除去によって体毛が再び育つことを防止することにおいて効果が十分でなく、除毛過程中に体毛が焼けるため、使用が非常に不便な欠点がある。
【０００６】
前記のような問題点を解決するために、光線の波長を用いて除毛を行う除毛器がある。これに係わる従来技術として、大韓民国登録実用新案第２０−０３６０１５０号明細書（２００４．０８．１７）（以下、特許文献２という）に開示された「光線皮膚治療器」がある。
【０００７】
前記特許文献２の除毛器は、５６０ｎｍ〜１１００ｎｍの波長の光線を照射する除毛用ハンドピースによって体毛を除去するもので、ハンドピースの作動のための本体が別に備えられて携帯性が落ちるため、専門治療機関などのみで使用が可能であり、一般使用者が易しく使うことができない欠点がある。
【０００８】
一方、他の従来技術として、大韓民国登録特許第１０−０８０１３７６号明細書（２００８．０１．２９）（以下、特許文献３という）に記載された「光パルスを用いた携帯用除毛器」がある。
【０００９】
前記特許文献３の除毛器は、光パルスを照射するために本体の中空部に設置されたフラッシュランプによって体毛を除去する。この際、除毛器の中空部の内周面と外周面の間に冷却水が含まれるように本体に空間部が形成され、除毛時に発生する熱を解消する除毛器である。
【００１０】
しかし、前記特許文献２及び３はボタン作動方式のもので、除毛光線（パルス）が照射されるから、除毛の目的で除毛器を皮膚に密着した状態ではないとき、誤作動して光線が照射される場合があり、光線が使用者の目などに照射される場合、網膜などの損傷を引き起こすことがあるため、使用中にサングラスのような保護装備を必ず着用しなければならない煩わしさがある。
【先行技術文献】
【特許文献】
【００１１】
【特許文献１】大韓民国特許登録第１０−０９１５３７１号明細書
【特許文献２】大韓民国登録実用新案第２０−０３６０１５０号明細書
【特許文献３】大韓民国特許登録第１０−０８０１３７６号明細書
【発明の概要】
【発明が解決しようとする課題】
【００１２】
本発明は前述したような問題点を解決するためになされたもので、使用者の誤りや意図しない作動によって除毛器から光線が照射されることを防止して作動安全性を向上させるために、光線ランプの前面縁部に沿って皮膚感知センサーを備え、制御部が前記皮膚感知センサーの全部位にわたって皮膚が感知される場合にだけ光線を照射させるように制御する除毛器を提供することを目的とする。
【００１３】
また、本発明は、皮膚感知センサーが外部に露出しないようにして故障及び破損の発生を防止し、特に皮膚感知センサーの全てが皮膚から一定間隔で均等に離隔した状態で光線を照射させることにより、除毛器の安全性を一層はっきりと保障することができるように、導電板からなった皮膚感知センサーを導入した除毛器を提供することを他の目的とする。
【００１４】
また、本発明は、前記導電板が光線ランプに易しく設置されるようにして製作が容易であり、特に第１基板に連結された両接地部の損傷を防止するために導電板から後方に折り曲げられて突出した係止突起が光線ランプの係合孔に係合し、両接地部は光線ランプの案内突起によって固定される除毛器を提供することをさらに他の目的とする。
【００１５】
また、本発明は、除毛器の使用中に光源の照射による過熱及び第１基板の制御部の誤作動を防止することができるように、温度感知センサーが光線ランプを備えた第１基板上に結合される除毛器を提供することをさらに他の目的とする。
【課題を解決するための手段】
【００１６】
前記のような目的を達成するために、本発明による作動安全性が向上した除毛器は、装着部を持つ本体；及び前記装着部に結合され、光線ランプ及び制御部を持つ第１基板が結合された第１胴体と、前記第１胴体の前方に結合される第１キャップ部材とからなる光線カートリッジ；を含んでなり、前記光線ランプには前面縁部に沿って皮膚感知センサーを備え、前記制御部は、前記皮膚感知センサーの全部位にわたって皮膚が感知される場合にだけ光線を照射するように制御することを特徴とする。
【００１７】
前記皮膚感知センサーは導電板からなり、一部が断絶されて後方に折り曲げられた両接地部が前記第１基板に連結されることにより、前記導電板の全部位にわたって皮膚から一定間隔が維持される場合にだけ前記制御部が前記両接地部を通じて静電容量の変化を一定時間以上感知して光線を照射させることができる。
【００１８】
前記導電板は後方に突出した係止突起を含み、前記光線ランプは、前記係止突起が係合される係合孔と、前記両接地部が係合される係合突起とを含んでなることができる。
【００１９】
前記第１基板には第１基板の温度上昇を感知する温度感知センサーを備えることができる。
【発明の効果】
【００２０】
本発明による作動安全性が向上した除毛器は、携帯が簡便で使用が便利である。さらに、光線ランプの前面縁部に沿って皮膚感知センサーを備え、結合構造上前記皮膚感知センサーの全部位にわたって皮膚を感知する場合、つまり除毛器を除毛の目的で皮膚に全く密着した場合にだけ光線を照射させることによって誤作動を防止し、特に、除毛器を皮膚に密着しなかった状態で使用者の誤りによってまたは意図に反して作動ボタンなどが押されて光線が照射されることによって、除毛すべき皮膚の外の他の人体、特に目のように危ない部位に光線が照射されて傷害を及ぼすことを防止して作動安全性が非常に向上する。よって除毛作業中に目などを保護するために別途の保護装備を着用しなくても良いので、使用が非常に便利である。
【００２１】
さらに、本発明による作動安全性が向上した除毛器は、皮膚感知センサーとして導電板を導入することによって導電板の全部位が皮膚から一定間隔で均等に離隔して維持される場合にだけ通電によって制御部がこれを感知して光線を照射するので、使用者が誤りによってまたは意図に反して皮膚の外に他の部位に光線が照射されることを根本的に遮断して除毛器の信頼性を一層はっきりと保障することができる。
【００２２】
また、本発明による作動安全性が向上した除毛器は、光線ランプの係合孔に導電板の係止突起が係合されるとともに両接地部が光線ランプの案内突起に係合、固定されるので、導電板、つまり皮膚感知センサーの破損などを防止することができ、特に光線ランプの縁部に装着される導電板を固定させるために別途の接着剤やボルト部材などを使う必要がないので、製作が易しくて早く、導電板が破損しても入替え作業をとても易しく行うことができる利点がある。
【００２３】
また、本発明による作動安全性が向上した除毛器は、光線ランプが装着された第１基板上に温度感知センサーを備えることにより、光線ランプの使用による過熱及び誤作動を防止することができ、特に使用者が長期間に使う場合、温度上昇によって光線の照射を制御することにより、過熱による皮膚損傷などを防止して除毛器の作動安全性を画期的に向上させた有用な発明である。
【００２４】
また、本発明による作動安全性が向上した除毛器は、入替え可能な光線カートリッジ及びクーリングカートリッジを導入し、除毛後にクーリングカートリッジで皮膚の熱を直ちに解消することができるので、高熱による皮膚損傷を防止することができる。
【図面の簡単な説明】
【００２５】
【図１】本発明による除毛器においてそれぞれのカートリッジが装着された形態を示す斜視図である。
【図２】本発明による除毛器の各カートリッジの斜視図及び分解斜視図である。
【図３】本発明による除毛器の各カートリッジの斜視図及び分解斜視図である。
【図４】本発明による除毛器の本体を説明する図である。
【図５】本発明による除毛器の光線カートリッジの装着を説明する断面図である。
【発明を実施するための形態】
【００２６】
本発明は多様な変更を加えることができ、いろいろの形態を持つことができる。これから、具現例（態様、ａｓｐｅｃｔ）または実施例を詳細に説明する。しかし、これは本発明を特定の開示形態に限定しようとするものではなく、本発明の思想及び技術範囲に含まれるすべての変更、均等物ないし代替物を含むものに理解しなければならない。
【００２７】
各図において同一の参照符号、特に十の桁及び一の桁、または十の桁、一の桁及びアルファベットが同じ参照符号は、同一または類似の機能を持つ部材を示し、特に言及がない場合、図面の各参照符号が指称する部材はこのような基準に準ずる部材に把握すれば良い。
【００２８】
また、各図において、構成要素は理解の便宜上大きさや厚さを誇張して大きく（または厚く）あるいは小さく（または薄く）表現するとか単純化して表現しているが、これによって本発明の保護範囲が制限されて解釈されてはいけない。
【００２９】
本明細書で使用した用語は、ただ特定の具現例（態様、ａｓｐｅｃｔ）または実施例を説明するために使用されたもので、本発明を限定しようとする意図ではない。単数の表現は文脈上特に明記しない限り、複数の表現を含む。
【００３０】
本出願において、「含む」または「なる」などの用語は明細書上に記載された特徴、数字、段階、動作、構成要素、部品またはこれらの組合せが存在することを指定しようとするものであり、一つまたはそれ以上の他の特徴、数字、段階、動作、構成要素、部品またはこれらの組合せの存在または付加の可能性を予め排除しないものに理解されなければならない。
【００３１】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は、関連技術が文脈上持つ意味と一致する意味を持つものに解釈されなければならない。本出願において明らかに定義しない限り、理想的なあるいは過度に形式的な意味に解釈されない。
【００３２】
本明細書に記載された「第１」、「第２」などは互いに異なる構成要素であることを区分するために指称するものであるだけ、製造手順に限定されるものではなく、発明の詳細な説明と請求範囲でその名称が一致しないこともあり得る。
【００３３】
本発明による作動安全性が向上した除毛器の説明において、便宜上厳密ではない大略の方向基準を図１及び図５に基づいて特定すれば、重力が作用する方向を下側にし、見える方向を基準に上下左右を決定する。
【００３４】
特に、図１において、装着された光線カートリッジ２０が光線を照射する方向を前面にして前後を特定し、説明によって前方と上側、そして後方と下側を混用して説明し、他の図に係わる発明の詳細な説明及び請求範囲においても特に他の言及がない限り、この基準によって方向を特定して記述する。
【００３５】
以下、本発明による作動安全性が向上した除毛器を添付図面に基づいて説明する。
【００３６】
まず、図１〜図５に示したように、本発明による作動安全性が向上した除毛器は、大別して本体１０、前記本体１０に交替可能に使用できる光線カートリッジ２０、及びクーリングカートリッジ３０からなる。
【００３７】
図１及び図４に示したように、前記本体１０は、使用者が易しく把持して使うことができるように、流線形胴体を持ち、胴体の内部にはカートリッジの作動のための電源供給手段１６及び電源供給をコントロールするための第１メイン基板が内蔵される。
【００３８】
図面には示されていないが、前記本体には、電源をｏｎ／ｏｆｆするためのパワーボタン（図示せず）、後述する光線カートリッジ２０及びクーリングカートリッジ３０を交替して使うことによって各カートリッジの機能が作動するようにするモード選択ボタン（図示せず）、及び各カートリッジの機能を調節する調節ボタン（図示せず）からなるボタン部が備えられる。
【００３９】
この中で、前記モード選択ボタンは、各カートリッジを締結した後、カートリッジ機能に合うモードを選択し、それによる除毛器の作動が行われるようにする。すなわち、光線カートリッジ２０を装着した後、除毛モードを選択して体毛を除去することができ、クーリングカートリッジ３０を装着してから冷却モードを選択して冷却機能を具現する。この際、光線カートリッジ２０が装着された状態でモード選択ボタンによって皮膚美白モードを選択すれば、制御部が光線カートリッジ２０の光線出力部２４から照射される光線の出力を調節して皮膚角質の除去、美白、マッサージ効果を発生させる。そして、前記調節ボタンによって各機能の強度、つまり除毛モードでは照射される光線の出力、冷却モードでは冷却強度を調節することができる。
【００４０】
このような光線の出力調節は、前記調節ボタンによって光線の周波数帯域によって皮膚に適用される機能が違うようにする。すなわち、前記調節ボタンによって高周波の光線を出力すれば、皮膚マッサージの効果とともに、毛嚢に対してダメージが加わって綿毛などの除毛及び角質除去の効果が同時に具現され、低周波の光線を出力すれば、皮膚マッサージによってにきび、しみなどを緩和させ、皮膚美白効果が得られる。
【００４１】
また、クーリングカートリッジ３０が装着されたときにも、前記調節ボタンによって冷却機能を用いると、つまり冷却温度を調節すれば、冷却マッサージによる皮膚美容に本発明の除毛器を活用することができる。
【００４２】
前記ボタン部には、前記モード選択ボタンの作動によって選択されたモードを表示する第１ディスプレイ（図示せず）と前記調節ボタンの作動によって強度を表示する第２ディスプレイ（図示せず）とをさらに備えることができる。
【００４３】
したがって、本発明の除毛器は、単純な除毛だけではなく、光線出力によって多様な皮膚美容効果を期待することができる多目的光線調照射器として機能し、従来の単純除毛器から脱して皮膚美容のための光線調照射器として多様な機能を提供することができる。
【００４４】
特に、本発明は、前記ボタン部に光線照射ボタンを備えていないが、これは後述する皮膚感知センサー２７によって制御部が光線の照射を制御することにより、使用者の誤りまたは意図しないボタン操作によって光線が除毛すべき皮膚以外の部位に照射されることを防止するための構成である。
【００４５】
また、図１〜図４に示したように、本発明の本体１０には電源供給のための電源供給手段１６をさらに備える。本発明の主目的の一つである携帯性を向上させるために、電源供給手段１６として、本体１０の内部に外部電力を充電して使うことができるようにする充電池を内蔵していることが好ましく、充電池の充電とともに外部電力ソケットにプラグを連結して外部電力を直接印加して除毛器を使い、多様な種類のプラグを用いて外部電力を使うことができるように、本体１０の一側に充電池に連結されたＵＳＢ端子部（図示せず）を備えることがより好ましい。
【００４６】
一方、図４及び図５に示したように、本発明の本体１０の前方には前記カートリッジの着脱のための装着部１１をさらに備える。
【００４７】
前記装着部１１は本体１０と一体に形成できるが、後述する空気循環手段１４の製作容易性の確保のために、図１、図４及び図５に示したように、本体１０の前方に結合され、クーリングカートリッジ３０の第１締結部３１ａが締結される第１対応締結部１２ａを持つ第１装着部材１２と、前記第１装着部材１２の前方に結合され、光線カートリッジ２０の第２締結部２１ａが締結される第２対応締結部１３ａを持つ第２装着部材１３とからなる。
【００４８】
まず、図１及び図２に示したように、本発明の光線カートリッジ２０は、下部外側端部の周縁に沿って前記第２締結部２１ａを備えた円筒状部材で、光線ランプ２３と制御部（図示せず）を持つ第１基板２９が結合されている第１胴体２１と、前記第１胴体２１の前方に結合される第１キャップ部材２２とからなる。
【００４９】
前記第１基板２９は、制御部として、種々のチップ及び素子（図示せず）を備えており、前方に光線出力部２４が電気的に連結され、制御部の制御によって光線出力部２４から光線を出力する。
【００５０】
本発明において、前記光線ランプ２３から出力される光線の概念は、光線を用いた除毛、皮膚マッサージなどのすべての皮膚美容に使われる無形のエネルギーを包括する概念で、代表的に超音波、レーザー、光パルス（ＩＰＬ；Ｉｎｔｅｎｓｉｖｅ Ｐｕｌｓｅ Ｌｉｇｈｔ）などがあり、以下では説明の便宜上、除毛の目的で活用される光線を代表的に説明する。
【００５１】
超音波による除毛方式は各種の手術や施術などに使われる超音波を皮膚に照射して体毛の毛根を除去する方式であり、レーザーによる除毛方式は特定の媒質から放出される特定波長帯の光を用いて体毛の毛根を除去する方式であり、光パルスによる除毛方式は一定範囲の波長帯域を持つ光を周期的なパルスの形態として放出させて体毛の毛根を除去する方式である。
【００５２】
このように、多様な形態の光線を用いた除毛方法は、代表的に光線が皮膚のメラニン色素に吸収されながら熱エネルギーに変わって体毛の毛根を破壊する方式である。
【００５３】
また、前記第１基板２９には支持部材２５が結合され、光線が透過することができる投光パネル２５Ａが前記支持部材２５を介して結合され、前記光線出力部２４の前方に備えられ、光線出力部２４とともに光線ランプ２３に具現される。
【００５４】
そして、前記光線ランプ２３には前面縁部に沿って皮膚感知センサー２７を備え、前記制御部は前記皮膚感知センサー２７の全部位にわたって皮膚が感知される場合にだけ光線を照射するように制御する。
【００５５】
すなわち、本発明は、前述したように、別途の光線の照射ボタンを備えず、前記皮膚感知センサー２７によって、光線カートリッジ２０の第１キャップ部材２２が皮膚に完全に密着する場合にだけ光線を自動で照射するようにし、使用者の誤りや意図しない除毛器の作動によって除毛すべき皮膚以外の部位に光線が照射されることを根本的に遮断することができる。
【００５６】
特に、本発明は、光線ランプ２３、より具体的には投光パネル２５Ａが結合された支持部材２５の前面縁部に沿って前記皮膚感知センサー２７を備え、皮膚感知センサー２７の全部位にわたって皮膚が感知される場合にだけ光線を照射することにより、構造上第１キャップ部材２２の光線出力ホール２２Ａの全てが皮膚に完全に密着しない場合、すなわち光線出力ホール２２Ａが皮膚に一部だけ接触するとか、あるいは光線出力ホール２２Ａの全てが皮膚に接触するが完全に密着しなくて皮膚と皮膚感知センサー２７間の離隔距離が一様でない場合のように、光線が除毛すべき皮膚以外の部位に照射される可能性を根本的に遮断することにより、誤作動による光線の照射を防止して光線による傷害などを防止することができる。
【００５７】
また、除毛器の作動安全性をより安定的に具現するために、前記制御部は、前記皮膚感知センサー２７の全部位にわたって皮膚が感知される場合、すぐには光線照射がされず、皮膚感知状態が一定時間（約１〜２秒）のうちに維持される場合にだけ光線出力部２４から光線が照射されるように制御する。
【００５８】
図２に示したように、本発明は、前記皮膚感知センサー２７の安定的な作動のために、導電板２８からなった皮膚感知センサー２７を導入した。
【００５９】
前記導電板２８は、前記光線ランプ２３の縁部に沿って備えられ、この中で一部が断絶されて後方に折り曲げられてなる一対の接地部２８ａが前記第１基板２９に結合されることによって電気的に連結される。前記導電板２８は、全部位にわたって皮膚に対して一定の間隔が維持される場合、人体から発生する静電容量がそのまま導電板の全部位に伝達され、一定時間以上のうちに導電板全体の静電容量が変化すれば、前記制御部がこれを感知して皮膚密着が完全になされたものに認識し、光線出力部２４から光線が出力されるように制御する。
【００６０】
前記導電板２８、つまり前記皮膚感知センサー２７は第１キャップ部材２２の光線出力ホール２２Ａの内側壁２２Ａによって覆われるように備えられる。このような内側壁２２Ａは導電板２８が皮膚接触感知を認識する最大の高さを持つように形成される。すなわち、光線出力ホール２２Ａの高さが、前記導電板２８の電荷が皮膚の磁場によって活性化する最大の距離に設定されることにより、光線出力ホール２２Ａの一部でも皮膚に密着しない場合、前記導電板２８に電流が流れなくなり、よって、このような場合に通電しなくなるので、前記制御部は光線が出力されないように制御することにより、光線が光線出力ホール２２Ａの外部に照射されることを根本的に遮断することができるようになる。
【００６１】
また、前記導電板２８は前記光線出力ホール２２Ａの内側壁２２Ａによって覆われた状態なので、皮膚が導電板２８に直接接触しないから、導電板２８の酸化を防止することができ、導電板２８と皮膚があまり近接する場合、過電流が流れることによる過熱によって発生する故障及び誤作動などを防止することができる。
【００６２】
以下では、図２〜図５に基づき、前記本体１０、光線カートリッジ２０、及びクーリーカートリッジの具体的な構造及び本体１０との着脱構造をより具体的に説明する。
【００６３】
まず、図４に示したように、本発明の本体１０の前方には前記カートリッジの着脱のための装着部１１をさらに備える。前記装着部１１は本体１０と一体に形成できるが、後述する空気循環手段１４の製作容易性の確保のために本体１０の前方に結合され、クーリングカートリッジ３０（図３参照）の第１締結部３１ａが締結される第１対応締結部１２ａを持つ第１装着部材１２と、前記第１装着部材１２の前方に結合され、光線カートリッジ２０（図２参照）の第２締結部２１ａが締結される第２対応締結部１３ａを持つ第２装着部材１３とからなる。
【００６４】
そして、図１及び図２に示したように、本発明の光線カートリッジ２０は、下部外側端部の周縁に沿って前記第２締結部２１ａを備えた第１胴体２１と、前記第１胴体２１に結合される第１キャップ部材２２とからなる。
【００６５】
図２及び図４に示したように、前記光線カートリッジ２０の第２締結部２１ａと前記装着部１１の第２対応締結部１３ａは公知の締結形態、つまり雄雌型締結溝及び突起などによって具現できる。例えば、光線カートリッジ２０を本体１０の装着部１１に押し込むだけで着脱がなされるワンタッチ押圧着脱方式あるいは光線カートリッジ２０を本体１０の装着部１１に装着した状態で回転によって着脱がなされる回転着脱方式あるいは別途の装着ボタンによって光線カートリッジ２０が本体１０の装着部１１に着脱されるボタン着脱方式を考慮することができ、このような形態に具現される光線カートリッジ２０と本体１０の着脱は後述するクーリングカートリッジ３０と本体１０の着脱にも同様に適用可能である。
【００６６】
また、前記第１胴体２１の前面には光線ランプ２３を持つ第１基板２９を備える。前記第１基板２９は制御部を構成する各種のチップと素子を含み、電源の供給及び本体１０のメイン基板１５との電気的連結のための端子２９Ａが後方に突出するように構成され、前記第１胴体２１の貫通孔２１ｃを貫いて第１胴体２１の後方に露出する。
【００６７】
そして、前記第２装着部材１３の前面には前記端子２９Ａが挿入されるソケット部１３ｂと前記第１胴体２１の案内壁体２１ｂが挿入される挿入溝１３ｃとを備える。前記ソケット部１３ｂは前記メイン基板１５または電源供給手段１６に電線（図示せず）などを介して電気的に連結されている。
【００６８】
また、前記第１基板２９の前面または後面の一側には温度感知センサー（図示せず）をさらに備える。前記温度感知センサーは、特に前記光線出力部２４の方向、つまり第１基板２９の前面に露出するように備えられ、第１基板２９及び光線ランプ２３の温度を実時間で感知し、長期間の使用による過熱を防止して、除毛器が誤作動することを防止する。また、前記温度感知センサーは、前記制御部に連結され、感知される温度によって光線の出力強度を自動で調節することがより好ましい。
【００６９】
本発明は第１基板２９に付着されるコンパクトな温度感知センサーを採用することにより、製品設計上空間的な制約を減らすことができる。前記温度感知センサーは前記第１基板２９上に二つ以上備えることができ、多数の温度感知センサーを第１基板２９の多くの箇所に装着して全方位的な温度上昇を実時間で感知することができる。
【００７０】
一方、前記第１基板２９の前面には光線ランプ２３が装着される。前記光線ランプ２３は光線出力部２４と、投光パネル２５Ａとからなる。前記光線出力部２４は第１基板２９に電気的に連結され、前記第１基板２９と光線出力部２４との間には前方折曲部２６Ａを持つ反射ガイド２６が配置されることで、光線出力部２４から出力される光線が前方に照射されるようにする。
【００７１】
そして、前記光線出力部２４の前方には投光性を持つ投光パネル２５Ａが第１基板２９に装着された支持部材２５に結合されることにより、出力された光線が前記投光パネル２５Ａを通過して第１キャップ部材２２の光線出力ホール２２Ａを通じて照射されるようにする。
【００７２】
前記投光パネル２５Ａは前記支持部材２５の装着ホールにフック結合方式で結合され、前記支持部材２５は前面縁部に皮膚感知センサー２７として導電板２８の結合のために係合孔２５ｂと係合突起２５Ａを備える。前記導電板２８は、両接地部２８ａが後方に折り曲げられて前記係合突起２５Ａと係合された状態で前記第１基板２９に連結されて接続され、後方に向かって折り曲げられて突出した係止突起２８ｂが前記係合孔２５ｂと係合されることにより、導電板２８が支持部材２５、つまり光線ランプ２３の前面縁部に固定される。
【００７３】
前記第１キャップ部材２２は前記第１基板２９及び光線ランプ２３を覆うように前記第１胴体２１の前面に結合され、中央の光線出力ホール２２Ａが前記投光パネル２５Ａに相応するように形成されることによって光線が前方に照射される。また、前記第１キャップ部材２２は内部に連通した空気通孔２２ｂが多数備え、空気循環によって光線ランプ２３が冷却される。
【００７４】
その外に、前記制御部は光源の出力回数を自動で制限して、超過して使用するときに光線が出力されないようにすることで、除毛器の過剰使用による皮膚傷害を防止し、特に除毛器を過度に使う場合、後述するクーリングカートリッジ３０によって直ちに皮膚を冷却させるようにする。
【００７５】
これにより、光線の照射による除毛後、これに伴って適切な後続措置を取って使用者の皮膚を冷却、安定させて刺激を解消することが必要である。本発明は皮膚接触によって放出される熱を吸収して除毛器から放出させることで冷却機能を具現する放熱構造の設計によって製作されたクーリングカートリッジ３０を本体１０の装着部１１に交替可能に装着して使うことができるようにすることによって前記のような問題点を解決した。
【００７６】
このために、図１、図３及び図４に示したように、前記クーリングカートリッジ３０は、下部外側端部の周縁に沿って前記第１締結部３１ａを持つ第２胴体３１と、前記第２胴体３１の前方に結合され、前面に接触吸熱部３２Ａを備えた第２キャップ部材３２とからなる。
【００７７】
前記接触吸熱部３２Ａは伝熱効率にすぐれた素材を使うことが好ましく、前記第２胴体３１の前方には前記接触吸熱部３２Ａから伝達された熱を放熱して冷却させるために後方に突出した多数の放熱羽３３Ａを持つ冷却部材３３を備える。前記冷却部材３３は熱電素子（Ｔｈｅｒｍｏｅｌｅｃｔｒｉｃ ｅｌｅｍｅｎｔ）から製作して、吸熱及び熱伝逹による放熱によって皮膚を冷却させることができる。
【００７８】
代表的な熱電素子として、ペルティエ素子がある。これは、互いに異なる金属の両端のみ接合した状態で両方に電気を流せば、一方の金属では熱を吸収し、他方の金属では熱を放出するペルティエ（Ｐｅｌｔｉｅｒ）効果を用いた素子で、通常の冷却ファンや冷却機などの多くの産業分野に使われる素子を言う。
【００７９】
本発明は、前記ペルティエ素子のように吸熱及び伝熱の効率にすぐれた冷却部材３３が前記第２キャップ部材３２の接触吸熱部３２Ａに接触し、第２キャップ部材３２の接触吸熱部３２Ａが冷却部として機能するようにし、反対側、つまり第２キャップ部材３２の内側後方に備えられた冷却部材３３の放熱羽３３Ａが放熱部として機能するようにすることにより、接触吸熱部３２Ａが皮膚と接触して吸収した熱が冷却部材３３を介して後方に放熱、解消させて皮膚を冷却させることで、皮膚進展の効果を具現する。
【００８０】
また、本発明のクーリングカートリッジ３０は前記第２キャップ部材３２の外周面を貫く多数の空気通孔３２を備えて、空気循環によって放熱効果を向上させることができる。
【００８１】
また、前記冷却部材３３としてペルティエ素子のような熱電素子が使われる場合、電源が供給されなければならないので、前記第２胴体３１の前方には電源供給のための端子３９Ａを備えた第２基板３９が備えられ、前記第２基板３９によって冷却部材３３の電源供給及び冷却制御がなされ、前記端子３９Ａと本体１０のソケット部１３ｂの結合による構成は前記光線カートリッジ２０と同様である。
【００８２】
また、第２キャップ部材３２の接触吸熱部３２Ａの接触面積を最大に確保し、後述する冷却ファン１９及び空気循環手段１４による放熱効果を向上させるために、前記クーリングカートリッジ３０は第２キャップ部材３２と第２胴体３１の結合面が中央外側に突出したチューブ状に形成され、これにより前記第２胴体３１の下端部に備えられた第１締結部３１ａは装着部１１の第２対応締結部１３ａではない第１対応締結部１２ａに締結される方式でクーリングカートリッジ３０と本体１０の着脱がなされる。
【００８３】
これにより、前記第２胴体３１は後方に本体１０の第２装着部材１３を収容する第２収容空間３１ａを含んでなり、その他に第２胴体３１の貫通孔３１ｃ及び案内壁体３１ｂなどの構成は前記光線カートリッジ２０と同様である。
【００８４】
このような構造のクーリングカートリッジ３０によって内蔵される冷却部材３３及び接触吸熱部３２Ａの直径を最大に確保することができ、接触による吸熱及び放熱の機能を極大化することができる。
【００８５】
つぎに、本発明は、図４及び図５に示したように、前記装着部１１に冷却ファン１３Ａを導入することで、光線カートリッジ２０及びクーリングカートリッジ３０を常時冷却することができるようにした。
【００８６】
図面には、説明の便宜上、前記冷却ファン１３Ａを箱状部材として示しているが、冷却ファン１３Ａの本質は前記各カートリッジ２０、３０が接触する第２装着部材１３の内部空間に送風してカートリッジを冷却させる部材である。
【００８７】
したがって、前記冷却ファン１３Ａは送風のための公知の部材で、代表的に一側に送風させるように形成されたプロペラを備えた冷却部材３３があり、この外にも他の公知の方式で送風させて各カートリッジの発熱、より広くは本体１０の内部で発生する発熱を解消するすべての形態の部材を意味する。
【００８８】
前記冷却ファン１３Ａは、装着部１１、より詳細には第１装着部材１２の隔板（指示せず）の上面に固定設置されることが好ましい。これにより、前記第２装着部材１３は光線カートリッジ２０の装着部１１として機能するだけでなく、冷却ファン１３Ａが外部に露出しないようにするハウジングとしても機能する。
【００８９】
図面には示されていないが、前記冷却ファン１３Ａは本体１０の充電池から電源を受けて作動し、メイン基板１５に電気的に連結され、各カートリッジの作動の際に冷却ファン１３Ａが連動して作動する方式あるいは別途のボタンによって冷却ファン１３Ａが作動する方式を考慮することができる。
【００９０】
つぎに、本発明は冷却ファン１３Ａによる冷却効果を一層向上させるために、前記装着部１１に空気を循環させる放熱構造の設計を導入した。このために、図４及び図５に示したように、本発明の装着部１１には、内外部の空気が循環するようにする空気循環手段１４をさらに備える。
【００９１】
まず、前記空気循環手段１４は、前記第１装着部材１２の隔板に貫設された空気循環孔１４ｂを含む。前記空気循環孔１４ｂは、隔板の中央が穿孔された形態に構成され、前記空気循環孔１４ｂを介して第１装着部材１２と第２装着部材１３の内部空間が互いに連通することにより、装着部材の間で空気が循環してカートリッジの発熱解消の機能を向上させることができ、場合によっては前記空気循環孔を通じて、ソケット部にメイン基板または電源供給手段を連結する電線（図示せず）が通過するように用いることができる。
【００９２】
また、図４及び図５に示したように、前記空気循環手段１４は、前記第１装着部材１２の外周面に貫設された複数の空気循環孔１４ａを含む。前記空気循環孔１４ａはスリット状の空気循環孔が外周面に沿って多数が配置される方式で構成できるが、装着部１１の内外部の空気循環の機能を極大化するために、図面に示したように、長方形の空気循環孔１４ａが第１装着部材１２の外周面縁部に沿って一つ以上穿孔される方式がより好ましい。
【００９３】
したがって、前記冷却ファン１３Ａが作動すれば、空気循環孔１４ｂを通じて第１装着部材１２内の空気を吸入して上側に送風、循環させる。このような循環構造によって前記空気循環孔１４ａを通じて外部の空気が内部に供給されることにより、室温の新たな空気が常時装着部１１の内部に循環して冷却させる。
【００９４】
この際、前記カートリッジ、特にクーリングカートリッジ３０の内部には垂直方向に貫設されて空気通孔３２と連通する多数の補助循環孔（図示せず）を備えて冷却効率を一層高めることができる。
【００９５】
また、図５に示したように、本発明の装着部１１は、第１装着部材１２の底面縁部から上側中央に傾くように突設された傾斜案内部１４Ａを備えることで、空気循環孔１４ａを通じて流入する外部空気が前記冷却ファン１３Ａに一層滑らかに案内されて流入するようにする。
【００９６】
すなわち、前記傾斜案内部１４Ａは第１装着部材１２の内部に設けられた円錐形部材で、空気循環孔１４ａが形成された側壁から中央上側に傾くように形成されることで、冷却ファン１３Ａによって内部に吸入される外部空気が前記傾斜案内部１４Ａに接触しながら上側に案内されるので、第２装着部材１３の内部への空気流入効率を向上させる。
【００９７】
また、前記傾斜案内部１４Ａは、外部空気の案内機能だけではなく、循環される空気の冷却効率を向上させるために、クーリングカートリッジ３０の接触吸熱部３２Ａのように熱伝逹に効率的な素材（例えば、熱電素子）から製作できる。
【００９８】
したがって、本発明は、除毛器の使用による内部発熱を効果的に解消するだけでなく、クーリングカートリッジ３０の熱電素子（接触吸熱部３２Ａ）を常時冷却させることで、クーリングカートリッジ３０の冷却性能を極大化させることができるようになる。
【００９９】
以上の本発明の説明においては、添付図面に基づいて特定の形状及び構造を持つ作動安定性が向上した除毛器を主に説明したが、本発明は当業者によって多様な修正、変更及び置換が可能であり、このような修正、変更及び置換は本発明の保護範囲に属するものに解釈されなければならない。
【産業上の利用可能性】
【０１００】
本発明は、除毛器の使用の際、サングラスなどの保護装置を不要にし、誤作動を防止するように作動安全性が向上した除毛器に適用可能である。
【符号の説明】
【０１０１】
１０    本体
１１    装着部
１２    第１装着部材
１３    第２装着部材
１４    空気循環手段
１５    メイン基板
１６    電源供給手段
２０    光線カートリッジ
２１    第１胴体
２２    第１キャップ部材
２３    光線ランプ
２４    光線出力部
２５    支持部材
２６    反射ガイド
２７    皮膚感知センサー
２８    導電板
２９    第１基板
３０    クーリングカートリッジ
３１    第２胴体
３２    第２キャップ部材
３３    冷却部材
３９    第２基板
【図１】
0006014095.tif 000002
【図２】
0006014095.tif 000003
【図３】
0006014095.tif 000004
【図４】
0006014095.tif 000005
【図５】
0006014095.tif 000006